(57)【要約】    【課題】      １つの排紙経路を通して装置本体の上部に排紙される用紙を、上面排紙トレイの開閉状態に適応した排紙トレイに排紙できるようにすること。    【解決手段】  画像形成ユニット１１０により画像が形成された用紙Ｐを装置本体１０１の上部に排紙する上面排紙ユニット１３０と、装置本体１０１の上面１０１ａに対して昇降自在の原稿載置台１６０と、排紙される用紙Ｐを受ける原稿載置面１６１に対して開閉自在な上面排紙トレイ１５０と、上面排紙トレイ１５０の上面１５０ａが上面排紙口１３４よりも下方に位置する下降位置と原稿載置台１６０の下面が上面排紙口１３４よりも上方に位置する上昇位置との間で原稿載置台１６０を昇降させる原稿載置台昇降ユニット１８０と、を具備する。  【選択図】      図２
2006321597.tif 000002
【特許請求の範囲】
【請求項１】
用紙に画像を形成する画像形成手段と、
前記画像形成手段により画像が形成された用紙を装置本体の上部に排紙する上面排紙手段と、
装置本体の上面に対して昇降自在に配設された原稿を載置するための原稿載置台と、
前記上面排紙手段により排紙される用紙を受けるための前記原稿載置台の原稿載置面に対して開閉自在に配設された上面排紙トレイと、
前記上面排紙トレイの上面が前記上面排紙手段により排紙される用紙の排紙経路よりも下方に位置する下降位置と前記原稿載置台の下面が前記上面排紙手段により排紙される用紙の排紙経路よりも上方に位置する上昇位置との間で前記原稿載置台を昇降させる原稿載置台昇降手段と、を具備する画像形成装置。
【請求項２】
前記原稿載置台昇降手段は、前記上面排紙トレイの開閉動作に連動して前記原稿載置台を昇降させる請求項１記載の画像形成装置。
【請求項３】
前記原稿載置台昇降手段は、前記上面排紙トレイの開閉動作により回転するピニオンと、前記ピニオンに噛み合う前記装置本体に固定されたラックと、からなる請求項２記載の画像形成装置。
【請求項４】
前記原稿載置台は、４節平行リンク機構により前記装置本体の上面に対して昇降自在に配設されている請求項１記載の画像形成装置。
【請求項５】
前記原稿載置台を前記上昇位置で係止させる原稿載置台係止手段を有する請求項１から請求項４のいずれかに記載の画像形成装置。
【請求項６】
前記上面排紙トレイを開放した状態で前記原稿載置台に載置した被写体を撮像する前記上面排紙トレイに配設した撮像手段を有する請求項１から請求項５のいずれかに記載の画像形成装置。
【請求項７】
前記上面排紙トレイが閉鎖した状態で、前記上面排紙手段が用紙を排紙する速度をＶｈとし、
前記上面排紙トレイが開放した状態で、前記上面排紙手段が用紙を排紙する速度をＶｋとした場合、
Ｖｈ＜Ｖｋとなるように設定される請求項１から請求項６のいずれかに記載の画像形成装置。
【発明の詳細な説明】
【技術分野】
【０００１】
本発明は、電子写真方式、静電記録方式、イオノグラフィー、磁気記録方式等の画像形成方式を採用した白黒およびカラーの複写機、プリンタ、ファクシミリ等の画像形成装置に関し、特に、印刷した用紙を装置本体の上面に排紙することができる小型な構成の画像形成装置に関する。
【背景技術】
【０００２】
従来、装置本体を小型化するために、画像形成ユニットで印刷した用紙を、装置本体の最上部に設けた上面排紙トレイ上に排紙するように構成した画像形成装置が知られている（たとえば、特許文献１参照）。
【０００３】
この画像形成装置では、装置本体の上面に設けられた原稿載置台の原稿載置面（コンタクトガラス面）に対して開閉自在に配設された上面排紙トレイを開閉して原稿載置台への原稿のセット操作を行うようにしている。
【０００４】
このような構成の画像形成装置においては、原稿載置台に載置された原稿がシート原稿の場合には、上面排紙トレイを完全に閉鎖した状態で原稿の読み取りを行うことができるので、原稿の読み取り中に印刷した用紙を上面排紙トレイ上に支障なく排紙することができる。
【０００５】
しかし、原稿がブック原稿や立体物の場合には、上面排紙トレイを開放した状態のままで原稿の読み取りを行わなければならないため、原稿の読み取り中に印刷した用紙が上面排紙トレイに排紙される際にジャムを起こすおそれがある。
【０００６】
そこで、この画像形成装置においては、上面排紙トレイが開放されている場合には、印刷した用紙を上面排紙トレイとは異なる他の排紙トレイに排紙するようにしている。
【特許文献１】特開平９−１８５２０２号公報
【発明の開示】
【発明が解決しようとする課題】
【０００７】
しかしながら、前記従来の画像形成装置においては、上面排紙トレイに用紙を排紙する排紙経路と、他の排紙トレイに用紙を排紙する排紙経路とを、上面排紙トレイの開閉状態に応じて切り替えるように構成しているため、用紙の搬送系が複雑になってしまうという問題がある。
【０００８】
また、このような構成の画像形成装置では、上面排紙トレイとは異なる他の排紙トレイを装置本体の側部から突出するように設けた場合、装置の設置面積が大きくなってしまうという問題がある。
【０００９】
本発明は、かかる点に鑑みてなされたもので、１つの排紙経路を通して装置本体の上部に排紙される用紙を、上面排紙トレイの開閉状態に適応した排紙トレイに排紙することができる簡素で小型な構成の画像形成装置を提供することを目的とする。
【課題を解決するための手段】
【００１０】
かかる課題を解決するため、本発明の画像形成装置は、用紙に画像を形成する画像形成手段と、前記画像形成手段により画像が形成された用紙を装置本体の上部に排紙する上面排紙手段と、装置本体の上面に対して昇降自在に配設された原稿を載置するための原稿載置台と、前記上面排紙手段により排紙される用紙を受けるための前記原稿載置台の原稿載置面に対して開閉自在に配設された上面排紙トレイと、前記上面排紙トレイの上面が前記上面排紙手段により排紙される用紙の排紙経路よりも下方に位置する下降位置と前記原稿載置台の下面が前記上面排紙手段により排紙される用紙の排紙経路よりも上方に位置する上昇位置との間で前記原稿載置台を昇降させる原稿載置台昇降手段と、を具備する構成を採る。
【発明の効果】
【００１１】
本発明によれば、１つの排紙経路を通して装置本体の上部に排紙される用紙を、上面排紙トレイの開閉状態に適応した排紙トレイに排紙することができるので、用紙の搬送系を簡素化することができ、かつ装置本体の小型化を図ることができる。
【発明を実施するための最良の形態】
【００１２】
以下、本発明の実施の形態について、図面を参照して詳細に説明する。なお、各図において同一の構成または機能を有する構成要素及び相当部分には、同一の符号を付してその説明は繰り返さない。
【００１３】
（実施の形態１）
図１および図２を参照して、本発明の実施の形態１に係る画像形成装置について説明する。図１は、本発明の実施の形態１に係る画像形成装置の上面排紙トレイを閉鎖した状態の構成を示す概略構成図である。図２は、本発明の実施の形態１に係る画像形成装置の上面排紙トレイを開放した状態の構成を示す概略構成図である。
【００１４】
図１および図２に示すように、本例の画像形成装置１００は、ＯＨＰシートや印字用紙などの用紙Ｐに画像を形成（印刷）する画像形成手段としての画像形成ユニット１１０を備えている。
【００１５】
本例の画像形成装置１００における画像形成ユニット１１０は、感光体ドラム１１１、レーザー光学ユニット１１２、帯電器１１３、現像ユニット１１４、転写ローラ１１５、クリーニングユニット１１６、定着ユニット１１７などで構成されている。
【００１６】
なお、本例の画像形成装置１００おける現像ユニット１１４は、マグネットロール１１４ａを備えた磁気ブラシ接触型の２成分現像方式の現像装置で構成されている。
【００１７】
また、本例の画像形成装置１００は、画像形成ユニット１１０に向けて用紙Ｐを給紙する給紙ユニット１２０を備えている。
【００１８】
本例の画像形成装置１００における給紙ユニット１２０は、積層された用紙Ｐを収納する給紙カセット１２１、給紙カセット１２１から用紙Ｐを一枚ずつ分離して給紙する給紙ローラ１２２、給紙される用紙Ｐを一旦停止させ所定のタイミングで再給紙するレジストローラ１２３などで構成されている。
【００１９】
また、本例の画像形成装置１００は、画像形成ユニット１１０により画像が形成された用紙Ｐを機外に排紙する排紙ユニット１３０を備えている。
【００２０】
本例の画像形成装置１００における排紙ユニット１３０は、画像形成ユニット１１０により画像が形成された用紙Ｐを、装置本体１０１の上部に連通した上面排紙経路１３１を通して排紙する排紙手段としての用紙搬送ローラ１３２および上面排紙ローラ１３３を備えている。
【００２１】
また、本例の画像形成装置１００は、用紙Ｐの両面に画像を形成する際に、画像形成ユニット１１０により片面（表面）に画像が形成された用紙Ｐを、表裏を反転させて再び画像形成ユニット１１０に搬送する反転搬送ユニット１４０を備えている。
【００２２】
本例の画像形成装置１００における反転搬送ユニット１４０は、片面（表面）に画像が形成された用紙Ｐの経路を反転搬送経路に切り替える用紙経路切替部材（切替爪）１４１、反転搬送経路に送り込まれた用紙Ｐを給紙ユニット１２０のレジストローラ１２３に向けて反転搬送する反転搬送ローラ１４２などで構成されている。
【００２３】
また、本例の画像形成装置１００は、排紙ユニット１３０の上面排紙ローラ１３３により装置本体１０１の上面排紙口１３４から排紙される用紙Ｐを受ける上面排紙トレイ１５０を備えている。
【００２４】
本例の画像形成装置１００における上面排紙トレイ１５０は、支軸１５１により原稿載置台１６０の原稿載置面１６１に対して開閉自在に軸支されており、開閉端部側に設けられた取っ手１５２を持って上下に遥動させることにより原稿載置面１６１を開閉するように構成されている。
【００２５】
本例の画像形成装置１００における原稿載置台１６０は、図２に示すように、上面排紙トレイ１５０を開放することにより、被写体や原稿（ここでは、ブック原稿Ｂ）を載置する原稿載置面１６１が露呈されるように構成されている。
【００２６】
また、本例の画像形成装置１００は、原稿載置台１６０に載置した原稿（被写体）を撮像するための撮像手段としての二次元センサ１７０を備えている。
【００２７】
本例の画像形成装置１００における二次元センサ１７０は、例えばＣＣＤやＣＭＯＳなどのイメージセンサを２次元に配置して構成されている。
【００２８】
また、本例の画像形成装置１００における二次元センサ１７０は、その撮像面が原稿載置台１６０の原稿載置面１６１と対向し、かつ支点１７１を中心として回動するように上面排紙トレイ１５０に配設されている。
【００２９】
本例の画像形成装置１００において、二次元センサ１７０による撮像を行わない通常の画像形成時には、図１に示すように、上面排紙トレイ１５０を閉鎖した状態で用紙Ｐへの画像形成が行われる。
【００３０】
一方、二次元センサ１７０により撮像した画像の画像形成時には、図２に示すように、上面排紙トレイ１５０を開放し、これにより露呈された原稿載置台１６０の原稿載置面１６１上に被写体（ここでは、ブック原稿Ｂ）を載置して撮像した画像を用紙Ｐに印刷する。
【００３１】
本例の画像形成装置１００において用紙Ｐへの画像形成が開始されると、まず、感光体ドラム１１１の表面が、帯電器１１３によって約−７００Ｖ程度に帯電される。その後、感光体ドラム１１１の表面には、露光装置としてのレーザー光学ユニット１１２によって、レーザー光が照射され、入力画像情報に応じた静電潜像が形成される。
【００３２】
感光体ドラム１１１は、レーザー光学ユニット１１２で静電潜像を書き込まれた際に、その画像露光部の表面電位が、−１００Ｖ以下程度にまで除電される。
【００３３】
一方、現像ユニット１１４のマグネットロール１１４ａ上に存在するトナーの帯電量は、概ね−２０〜−３０μＣ／ｇ程度である。この現像ユニット１１４においては、ＡＣ＋ＤＣの現像電圧を印加して現像が実施されるが、この現像電圧は、ＡＣが４ｋＨｚ、１．６ｋＶｐｐで、ＤＣが−２５０Ｖ程度である。
【００３４】
これにより、−１００Ｖ以下程度にまで除電された感光体ドラム１１１上には、その画像露光部にトナーが付着することでトナー像が形成される。
【００３５】
その後、感光体ドラム１１１上に形成されたトナー像は、転写ローラ１１５によって約＋５００Ｖ程度に帯電した用紙Ｐ上に転写される。
【００３６】
そして、用紙Ｐに付着したトナー像は、定着ユニット１１７を通過する際に、熱と圧力を加えられることによって一旦溶融した後、用紙Ｐ上に固着する。
【００３７】
ここで、図１に示すように、上面排紙トレイ１５０を閉鎖した状態で画像形成が行われた用紙Ｐは、排紙ユニット１３０の上面排紙経路１３１を通して上面排紙ローラ１３３により装置本体１０１の上部に設けられた上面排紙口１３４から上面排紙トレイ１５０上に排紙されて積載される。
【００３８】
このように、上面排紙トレイ１５０が閉鎖されている状態では、画像形成ユニット１１０で印刷した用紙Ｐを上面排紙トレイ１５０上に支障なく排紙させることができ、印刷された用紙Ｐを容易に取り出すことができる。
【００３９】
これに対し、例えば図２に示すように、ブック原稿Ｂを二次元センサ１７０により撮像する場合には、上面排紙トレイ１５０を開放した状態のままで撮像を行わなければならないため、原稿の撮像中に印刷された用紙Ｐを上面排紙トレイ１５０上に排紙すると用紙Ｐがジャムを起こすおそれがある。
【００４０】
このような用紙Ｐのジャムを防止するには、上面排紙トレイ１５０の開放角度を小さくすればよいが、このようにすると原稿載置台１６０の原稿載置面１６１への原稿のセット操作がしづらくなり、また二次元センサ１７０の撮像位置も低くなるため撮像可能範囲も狭くなってしまう。
【００４１】
また、上面排紙トレイ１５０に用紙Ｐを排紙する排紙経路と、他の排紙トレイに用紙Ｐを排紙する排紙経路とを、上面排紙トレイ１５０の開閉状態に応じて切り替えるように構成すると、用紙Ｐの搬送系が複雑になってしまう。
【００４２】
さらに、上面排紙トレイ１５０とは異なる他の排紙トレイを装置本体１０１の側部から突出するように設けると、装置の設置面積が大きくなってしまう。
【００４３】
そこで、本例の画像形成装置１００では、原稿載置台昇降手段としての原稿載置台昇降ユニット１８０により原稿載置台１６０を昇降させて、排紙ユニット１３０により１つの排紙経路を通して装置本体１０１の上部に排紙される用紙Ｐを、上面排紙トレイ１５０の上面１５０ａまたは装置本体１０１の上面１０１ａのいずれかに排紙する構成を採っている。
【００４４】
本例の画像形成装置１００における原稿載置台昇降ユニット１８０は、支柱１８１、ピニオン１８２、ラック１８３などで構成されている。
【００４５】
支柱１８１は、原稿載置台１６０の側部に植設されたガイドピン１６２をガイドすることにより、装置本体１０１の上面１０１ａに対して原稿載置台１６０を昇降自在に支持するように装置本体１０１に取り付けられている。
【００４６】
ピニオン１８２は、上面排紙トレイ１５０の開閉動作により回転するように、上面排紙トレイ１５０の支軸１５１に取り付けられている。
【００４７】
ラック１８３は、ピニオン１８２に噛み合うように、装置本体１０１に取り付けられている。
【００４８】
ここで、図１に示すように閉鎖された状態の上面排紙トレイ１５０は、その上面１５０ａが上面排紙ローラ１３３により排紙される用紙Ｐの排紙経路（上面排紙口１３４）よりも下方に位置する下降位置に臨んでいる。
【００４９】
図１において、取っ手１５２を持って上面排紙トレイ１５０を開放すると、この開放動作に連動して支軸１５１とともにピニオン１８２が時計回り方向に回転する。
【００５０】
これにより、ピニオン１８２がラック１８３に噛み合いながらラック１８３に沿って上昇する。このピニオン１８２の上昇により、支軸１５１とともに原稿載置台１６０のガイドピン１６２が支柱１８１にガイドされて上昇する。
【００５１】
そして、図２に示すように、上面排紙トレイ１５０が所定の開放角度に開放されると、原稿載置台１６０の下面１６０ａが上面排紙ローラ１３３により排紙される用紙Ｐの排紙経路（上面排紙口１３４）よりも上方に位置する上昇位置に臨む。なお、ここでいう上面排紙トレイ１５０の所定の開放角度とは、原稿載置台１６０上に載置されたブック原稿Ｂを二次元センサ１７０により撮像するのに適した開放角度をいう。
【００５２】
このようにして原稿載置台１６０が上昇すると、原稿載置台１６０のガイドピン１６２が支柱１８１に設けられているストッパ１８４を乗り越えることにより、原稿載置台１６０が所定の上昇位置で係止される。
【００５３】
これにより、本例の画像形成装置１００においては、上面排紙トレイ１５０を開放して二次元センサ１７０により撮像する場合には、図２に示すように、印刷した用紙Ｐをジャムさせることなく装置本体１０１の上面１０１ａに排紙することができ、排紙された用紙Ｐも容易に取り出すことができる。
【００５４】
また、本例の画像形成装置１００においては、上面排紙トレイ１５０を大きく開放することができるので、原稿載置台１６０の原稿載置面１６１への原稿のセット操作が容易になり、二次元センサ１７０の撮像位置も高くできるので撮像可能範囲も広く採れるようになる。
【００５５】
また、本例の画像形成装置１００においては、上面排紙トレイ１５０の上面１５０ａと装置本体１０１の上面１０１ａとに用紙Ｐを排紙する排紙経路が１つであるので、用紙Ｐの搬送系も簡素化される。
【００５６】
さらに、本例の画像形成装置１００においては、上面排紙トレイ１５０の開放時における用紙Ｐの排紙トレイが装置本体１０１の上面１０１ａであるので、装置の設置面積が大きくなることもない。
【００５７】
また、本例の画像形成装置１００においては、上面排紙トレイ１５０が撮像手段である二次元センサ１７０の支持体を兼ねているので、例えば撮像手段である二次元センサ１７０を支持するための支持体（フレーム）を装置本体１０１の上方に設ける必要がなく、装置全体を小型化することができる。
【００５８】
（実施の形態２）
次に、図３および図４を参照して、本発明の実施の形態２に係る画像形成装置について説明する。図３は、本発明の実施の形態２に係る画像形成装置の上面排紙トレイを閉鎖した状態の構成を示す概略構成図である。図４は、本発明の実施の形態２に係る画像形成装置の上面排紙トレイを開放した状態の構成を示す概略構成図である。
【００５９】
図３および図４に示すように、本例の画像形成装置２００は、実施の形態１に係る画像形成装置１００と同様、原稿載置台昇降手段としての原稿載置台昇降ユニット２８０により原稿載置台１６０を昇降させて、排紙ユニット１３０により１つの排紙経路を通して装置本体１０１の上部に排紙される用紙Ｐを、上面排紙トレイ１５０の上面１５０ａまたは装置本体１０１の上面１０１ａのいずれかに排紙する構成を採っている。
【００６０】
本例の画像形成装置２００における原稿載置台昇降ユニット２８０は、装置本体１０１と原稿載置台１６０とを平行なリンク２８１で揺動自在に連結した４節平行リンク機構により、装置本体１０１の上面１０１ａに対して原稿載置台１６０を昇降させるように構成されている。
【００６１】
図３に示すように閉鎖された状態の上面排紙トレイ１５０は、その上面１５０ａが上面排紙ローラ１３３により排紙される用紙Ｐの排紙経路（上面排紙口１３４）よりも下方に位置する下降位置に臨んでいる。
【００６２】
この状態で、取っ手１５２を持って上面排紙トレイ１５０を開放すると、この開放動作に連動してリンク２８１が揺動し、原稿載置台１６０が上面排紙トレイ１５０とともに装置本体１０１の上面１０１ａに対して平行な状態を保ちつつ上昇する。
【００６３】
そして、図４に示すように、上面排紙トレイ１５０が所定の開放角度に開放されると、原稿載置台１６０の下面１６０ａが上面排紙ローラ１３３により排紙される用紙Ｐの排紙経路（上面排紙口１３４）よりも上方に位置する上昇位置に臨む。
【００６４】
このようにして原稿載置台１６０が所定の上昇位置に臨むと、原稿載置台１６０の支軸１５１がわの端部に取り付けられているマグネット２８２が、装置本体１０１の上面排紙口１３４がわの上端部に取り付けられているマグネットキャッチ２８３に磁力により張り付いて係止される。
【００６５】
これにより、本例の画像形成装置２００においても、実施の形態１に係る画像形成装置１００と同様の効果を得ることができるようになる。
【００６６】
一方、各実施の形態に係る画像形成装置１００、２００は、上面排紙トレイ１５０の開閉状態を検知する検知センサ（不図示）を装置本体１０１に有している。
【００６７】
従って、画像形成装置１００、２００は、上面排紙トレイ１５０の開閉状態を検知することで、用紙Ｐが上面排紙トレイ１５０の上面１５０ａに排紙されるか、装置本体１０１の上面１０１ａに排紙されるかを識別することができる。
【００６８】
そこで、本例の画像形成装置１００、２００においては、上面排紙トレイ１５０が開放されたことを検知し、用紙Ｐが装置本体１０１の上面１０１ａに排紙される場合、用紙Ｐを排紙する上面排紙ローラ１３３の回転速度を、上面排紙トレイ１５０に用紙Ｐを排紙する回転速度の時よりも上げるようにしている。
【００６９】
すなわち、本例の画像形成装置１００、２００においては、上面排紙トレイ１５０が閉鎖した状態で上面排紙ローラ１３３が用紙Ｐを排紙する速度をＶｈとし、上面排紙トレイ１５０が開放した状態で上面排紙ローラ１３３が用紙Ｐを排紙する速度をＶｋとした場合、Ｖｈ＜Ｖｋとなるように設定されている。
【００７０】
これにより、上面排紙トレイ１５０が開放されて用紙Ｐが装置本体１０１の上面１０１ａに排紙される場合には、速度Ｖｈよりも速い速度Ｖｋで用紙Ｐが排紙されるので、用紙Ｐが操作者側（上面排紙トレイ１５０の取っ手１５２側）へ押し出されるように装置本体１０１の上面１０１ａに排紙される。
【００７１】
従って、本例の画像形成装置１００、２００においては、用紙Ｐが装置本体１０１の上面１０１ａに排紙される場合でも、上昇した原稿載置台１６０が障害とならず、装置本体１０１の上面１０１ａに排紙された用紙Ｐを容易に取り出すことができ操作性が向上する。
【００７２】
ここで、上面排紙トレイ１５０の開閉状態によって、上面排紙ローラ１３３の回転速度を変更する方法としては、上面排紙ローラ１３３を回転させるだけのモータを設置し、上面排紙トレイ１５０の開閉状態を検知する検知センサからの情報により、モータの回転数を変更する。
【００７３】
また、上面排紙ローラ１３３の回転速度を変更する方法としては、装置本体１０１から上面排紙ローラ１３３へ駆動を伝達する歯車列（不図示）を２系列配置し、上面排紙トレイ１５０の開閉状態を検知する検知センサからの情報により、ソレノイド（不図示）によって、歯車駆動系列を変更することで、上面排紙ローラ１３３の回転速度を変更する方法でもよい。
【００７４】
なお、各実施の形態に係る画像形成装置１００，２００においては、原稿載置台１６０の原稿載置面１６１に載置した原稿（ブック原稿Ｂ）を、上面排紙トレイ１５０に配設した二次元センサ１７０により撮像する構成を採っているが、原稿載置台１６０をフラットベットスキャナで構成して原稿載置面１６１に載置した原稿を読み取る構成を採るようにしてもよい。
【産業上の利用可能性】
【００７５】
本発明に係る画像形成装置は、１つの排紙経路を通して装置本体の上部に排紙される用紙を、上面排紙トレイの開閉状態に適応した排紙トレイに排紙することができ、用紙の搬送系を簡素化することができ、かつ装置本体の小型化を図ることができるので、電子写真方式、静電記録方式、イオノグラフィー、磁気記録方式等の画像形成方式を採用した白黒およびカラーの複写機、プリンタ、ファクシミリ等の画像形成装置として有用である。
【図面の簡単な説明】
【００７６】
【図１】本発明の実施の形態１に係る画像形成装置の上面排紙トレイを閉鎖した状態の構成を示す概略構成図
【図２】本発明の実施の形態１に係る画像形成装置の上面排紙トレイを開放した状態の構成を示す概略構成図
【図３】本発明の実施の形態２に係る画像形成装置の上面排紙トレイを閉鎖した状態の構成を示す概略構成図
【図４】本発明の実施の形態２に係る画像形成装置の上面排紙トレイを開放した状態の構成を示す概略構成図
【符号の説明】
【００７７】
１００，２００  画像形成装置
１０１  装置本体
１０１ａ  装置本体の上面
１１０  画像形成ユニット
１２０  給紙ユニット
１３０  排紙ユニット
１３１  上面排紙経路
１３２  用紙搬送ローラ
１３３  上面排紙ローラ
１３４  上面排紙口
１５０  上面排紙トレイ
１５０ａ  上面排紙トレイの上面
１５１  支軸
１６０  原稿載置台
１６１  原稿載置面
１６２  ガイドピン
１７０  二次元センサ
１８０，２８０  原稿載置台昇降ユニット
１８１  支柱
１８２  ピニオン
１８３  ラック
１８４  ストッパ
２８１  リンク
２８２  マグネット
２８３  マグネットキャッチ
Ｂ  ブック原稿
【図１】
2006321597.tif 000003
【図２】
2006321597.tif 000004
【図３】
2006321597.tif 000005
【図４】
2006321597.tif 000006